(57)【要約】【課題】台間機本体をホルダにロックしているロック機構を解除するためのワイヤに過剰な負荷が作用することを防止すること。【解決手段】遊技台用台間機１のロック機構４にはワイヤ５が連結されており、ワイヤ５の他端には制限機構６を介して手動操作部材７としてのプッシュロッド７Ａが連結されている。プッシュロッド７Ａを押し込むと、スイングアーム６６がスイングして、他方の側に配置されているスライダ６４がスライドして、ここに連結されているワイヤ５が引かれる。スライダ６４のスライド量がワイヤ５のストローク量未満に制限されており、そのスライド方向はワイヤ５の軸線方向に制限されている。よって、ロックを解除するためにワイヤ５を引いた際に、ワイヤ５に過剰な負荷が作用することがない。【選択図】      図２
2004305578.tif 000002
【特許請求の範囲】
【請求項１】
遊技台に隣接配置されるホルダと、
このホルダに前方から抜き差し可能に装着されている台間機本体と、
前記台間機本体を前記ホルダにロックしているロック機構と、
前記ロック機構によるロックを解除するために操作されるワイヤと、
前記ワイヤを引張るために操作する手動操作部材と、
前記手動操作部材の操作による前記ワイヤの引張り量および引張り方向のうち、少なくとも引張り量を制限している制限機構と、
を有している遊技台用台間機。
【請求項２】
請求項１において、
前記制限機構は、前記手動操作部材の操作量の増大に伴って、当該手動操作部材を操作するために必要な操作力を増加させる操作抵抗増加部材を備えていることを特徴とする遊技台用台間機。
【請求項３】
請求項２において、
前記手動操作部材は押し込み部材であり、
前記制限機構は、
前記ワイヤに連結され、当該ワイヤの軸線方向にスライド可能なスライダと、
前記押し込み部材を押し込み方向とは逆方向に付勢している前記操作抵抗増加部材として機能するばね部材と、
前記押し込み部材の移動を前記スライダのスライド運動に変換する変換部材と、
前記押し込み部材の最大押し込み量を規制している規制部材とを備えていることを特徴とする遊技台用台間機。
【請求項４】
請求項２において、
前記手動操作部材は引張り部材であり、
前記制限機構は、
前記ワイヤに連結され、当該ワイヤの軸線方向にスライド可能なスライダと、
前記スライダを、前記ワイヤの引張り方向とは逆方向に付勢している前記操作抵抗増加部材として機能するばね部材と、
前記スライダの前記ワイヤ引張り方向の移動量を規制している規制部材とを備えており、
前記スライダに前記引張り部材が連結されていることを特徴とする遊技台用台間機。
【発明の詳細な説明】
【０００１】
【発明の属する技術分野】
本発明は、隣接配置されている遊技台に対して遊技媒体の貸し出し処理を行う遊技台用台間機に関するものである。さらに詳しくは、本発明は、遊技台に隣接配置されたホルダと、このホルダに対して前側から抜き差し可能に装着されている台間機本体とを備えた遊技台用台間機において、台間機本体をホルダにロックしているロック機構を解除するための機構の改良に関するものである。
【０００２】
【従来の技術】
遊技台用台間機は、一般に、遊技島を構成している取り付け枠の側に固定したホルダに対して、制御ユニット、紙幣識別ユニットなどの各構成部品が内蔵された台間機本体が前側から抜き差し可能な状態で装着されている。また、台間機本体がホルダから引き抜かれることが無いように、ロック機構によって台間機本体がホルダにロックされている。メンテナンス時等においてロック機構を解除して、台間機本体をホルダから引き抜くようにしている。
【０００３】
ロック機構としては、台間機本体をホルダに差し込む動作に連動して台間機本体をホルダに自動的にロック可能なものが知られており、例えば、下記の特許文献１、２、３に開示されている。このような自動ロック機構では、ロック位置およびアンロック位置に移動可能なロック部材をばねによりロック位置に付勢しておき、台間機本体をホルダに差し込む動作に連動させて、ロック部材を一旦アンロック位置に移動させた後にロック位置に戻すことによりロック状態が自動形成されるようになっている。
【０００４】
ロック状態の台間機本体を引き抜くためには、ロック部材をばね力に逆らって手動によりアンロック位置に移動させることによりロックを解除し、この状態を保持したままで台間機本体を手前に引き出せばよい。ここで、ロック機構はホルダの背面側に設けられているので、台間機本体をホルダから引き抜く際には、隣接配置されている遊技台のガラス扉を開け、そこからホルダ背面側に手を伸ばして手探り状態でロック部材をアンロック位置に移動させる必要がある。
【０００５】
かかるアンロック操作は不便であるので、下記の特許文献３においては、ロック部材にワイヤの一端を連結し、当該ワイヤの他端を操作しやすい位置まで引き出しておき、ワイヤを引張ることによりロックを解除できるようにした構成が開示されている。
【０００６】
【特許文献１】
特開平９−９４３４４号公報
【特許文献２】
特開２００２−１１２３７号公報
【特許文献３】
特開２００３−１０５２９号公報
【０００７】
【発明が解決しようとする課題】
ここで、ワイヤによるロック解除方式では、ロック機構自体はホルダ背面側に取り付けられており、ワイヤを引張ってロックを解除しても、解除されたことを目視により直接に確認することができない。静寂な環境で解除操作を行えば、ロックが解除されたことを音で判別できるが、遊技店内においては音によりロックが解除されたことを判別することが困難である。この結果、店員などの作業者により、ワイヤがそのストローク限界まで力任せに引張られる可能性がある。また、ロックが解除されたにも拘わらず、繰り返しワイヤが引張られる可能性もある。
【０００８】
ワイヤに大きな引張り力が作用すると、ワイヤ自体に大きな負荷が掛かるだけでなく、ワイヤが連結されているロック機構部品を変形させ、ロック機構が正常に機能しなくなる惧れもある。また、ワイヤとしては、引張り強度が高く可撓性に富む素材、例えばステンレススチールなどの金属撚線が使用されている。このような素材からなるワイヤを大きな引張り力で引くと、プーリなどに架け渡されている部分に曲げ癖がつきやすい。曲げ癖がつくと、一度引いたワイヤがばね力だけでは戻らなくなり、正常なロック機能が損なわれる惧れもある。
【０００９】
本発明の課題は、ロック解除の際にワイヤに過剰な負荷が作用しないように構成されたロック解除機構を備えた遊技台用台間機を提案することにある。
【００１０】
【課題を解決するための手段】
上記の課題を解決するために、本発明の遊技台用台間機は、
遊技台に隣接配置されるホルダと、
このホルダに前方から抜き差し可能に装着されている台間機本体と、
前記台間機本体を前記ホルダにロックしているロック機構と、
前記ロック機構によるロックを解除するために操作されるワイヤと、
前記ワイヤを引張るために操作する手動操作部材と、
前記操作部材の操作による前記ワイヤの引張り量および引張り方向のうち、少なくとも引張り量を制限している制限機構と、
を有していることを特徴としている。
【００１１】
本発明の遊技台用台間機では、制限機構によって、手動操作部材によるワイヤの引張り量、引張り方向が制限されている。例えば、手動操作部材によるワイヤの引張り量を、ワイヤのストローク量よりも少なくすることにより、また、ワイヤの引張り方向をその軸線方向に制限することにより、ワイヤに過剰な負荷が掛かることを防止できる。この結果、ワイヤが連結あるいは架け渡されている部材に変形などが発生する不具合を防止できる。さらに、ワイヤに曲げ癖がついて、ロック機構の正常動作が阻害される危険性も防止できる。
【００１２】
ここで、ワイヤが過剰に引張られることの無いようにするためには、前記制限機構は、前記手動操作部材の操作量の増大に伴って、当該手動操作部材を操作するために必要な操作力を増加させる操作抵抗増加部材を備えていることが望ましい。手動操作部材の操作抵抗が増大することにより、操作者はその操作限界を知ることができるので、ワイヤが力任せに引張られることを未然に防止できる。
【００１３】
次に、前記手動操作部材として押し込み部材を用いることができ、この場合には、前記制限機構を、前記ワイヤに連結され、当該ワイヤの軸線方向にスライド可能なスライダと、前記押し込み部材を押し込み方向とは逆方向に付勢している前記操作抵抗増加部材として機能するばね部材と、前記押し込み部材の移動を前記スライダのスライド運動に変換する変換部材と、前記押し込み部材の最大押し込み量を規制している規制部材とを備えた構成のものとすることができる。
【００１４】
また、前記手動操作部材として引張り部材を用いることができ、この場合には、前記制限機構は、前記ワイヤに連結され、当該ワイヤの軸線方向にスライド可能なスライダと、前記スライダを、前記ワイヤの引張り方向とは逆方向に付勢している前記操作抵抗増加部材として機能するばね部材と、前記スライダの前記ワイヤ引張り方向の移動量を規制している規制部材とを備えた構成のものとすることができ、前記スライダに前記引張り部材を連結すればよい。
【００１５】
【発明の実施の形態】
以下に、図面を参照して、本発明を適用した遊技台用台間機の実施の形態を説明する。
【００１６】
図１は本実施の形態に係る遊技台用台間機を示す側面図である。遊技台用台間機１は、遊技島を構成している取り付け枠（図示せず）等に固定されているホルダ２と、このホルダ２に対して前方から抜き差し可能な状態で装着されている（想像線で示す）台間機本体３と、台間機本体３をホルダ２から外れないようにロックしているロック機構４とを有している。
【００１７】
また、ロック機構４からはワイヤ５が引き出されており、プーリなどの不図示の部材を介して、その先端５ａが所定の部位まで引き出されている。ワイヤ５の先端５ａには、制限機構６を介して、ワイヤ５を操作するための手動操作部材７が取り付けられている。手動操作部材７を操作すると、ワイヤ５が引張られて、ロック機構４によるロックが解除されるようになっている。制限機構６は、手動操作部材７によるワイヤ５の引張り量および引張り方向を制限するためのものである。
【００１８】
なお、ホルダ２および台間機本体３は、一般的に知られている構成のもの、例えば、前述の各特許文献に開示のものを採用できるので、本明細書においてはそれらの説明は省略するものとする。
【００１９】
図２（ａ）〜（ｄ）は、制限機構６および手動操作部材７の一例を示す平面図、下面図、側面図および裏面図である。本例の手動操作部材７は円柱状のプッシュロッド（押し込み部材）７Ａである。制限機構６は、裏面側が開口している升形のケース６１を備え、このケース６１の左右の縁からは直交方向に延びている一定幅の取り付けフランジ６１ａ、６１ｂが形成され、これらのフランジ６１ａ、６１ｂが複数本の固定ねじなどによって遊技島構成部品などに固定される。
【００２０】
ケース６１の内部には、その一方の側に、上下方向に延びる状態でプッシュロッド７Ａが取り付けられ、このプッシュロッド７Ａの下端部分７１ａはケース６１の下側の端面板部分６１ｃを貫通して下方に突出している。プッシュロッド７Ａは、ケース６１の内部に取り付けられているガイドロッド６２によって上方に押し込み可能な状態に支持されている。また、プッシュロッド７Ａはその外周面に形成した大径のストッパ７１ｂによって、下方への抜けが防止されている。さらに、ストッパ７１ｂとケース６１の上側の端面板部分６１ｄとの間には圧縮状態でコイルばね６３が装着されている。コイルばね６３によってストッパ７１ｂがケース６１の下側の端面板部分６１ｃに押付けれられ、プッシュロッド７Ａの下端部分７１ａが下方に突出した状態に保持されている。
【００２１】
ケース６１内におけるプッシュロッド７１とは反対側の部位には、ケース６１の正面板部分６１ｄの表面に沿ってスライド自在の状態でスライダ６４が配置されている。このスライダ６４の上端にはワイヤ５の先端５ａが連結されている。ワイヤ５は、ケース６１の上側の端面板部分６１ｄに先端が固定されているワイヤチューブ５１内を通って引き出されている。
【００２２】
ケース６１の正面板部分６１ｄには、その中心に固定した固定ピン６５を旋回中心として、スイングアーム６６（変換部材）が上下にスイング自在に取り付けられている。スイングアーム６６の一端には連結ピン６７が垂直に連結されており、連結ピン６７の一端はプッシュロッド７Ａに形成された横長の長孔６６ａにスライド可能に差し込まれており、他端は正面板部分６１ｄに形成した円弧状のスライド溝６１ｅにスライド可能に差し込まれている。スイングアーム６６の他端にも連結ピン６８が垂直に連結されており、連結ピン６８の一端はスライダ６４に形成された横長の長孔６４ａにスライド可能に差し込まれており、他端は正面板部分６１ｄに形成した円弧状のスライド溝６１ｆにスライド可能に差し込まれている。スライド溝６１ｅ、６１ｆは、スイングアーム６６の旋回中心を中心とする対称な円弧形状をしている。
【００２３】
この構成の制限機構６において、プッシュロッド７Ａを押し込むと、スイングアーム６６がスイングして、スライダ６４がケース側面板部分６１ｇに沿ってワイヤ引張り方向に移動してワイヤ５が引かれる。ワイヤ５が引かれると、ロック機構４によるロックが解除され、台間機本体３をホルダ２から引き出すことができる。プッシュロッド７Ａの押し込みを解除すると、コイルばね６３のばね力によってプッシュロッド７Ａは再び図に示す突出状態に戻り、ワイヤ５も引かれる前の状態に戻る。
【００２４】
ここで、スイングアーム６６のスイング量はスライド溝６１ｅ、６１ｆによって規制されているので、ワイヤ５を引くスライダ６４のスライド量（ワイヤ引張り量）、すなわち、プッシュロッド７Ａの押し込み量も制限される。本例では、スライド溝６１ｅ、６１ｆの円弧角を調整することにより、ワイヤ５のストローク量よりもスライダ６４のスライド量が小さくなるように設定されている。従って、ワイヤ５がそのストローク量以上に引かれることを防止できるので、ワイヤ５に過剰な負荷が作用することがない。
【００２５】
また、スライダ６４は側面板部分６１ｇに沿って、ワイヤ５の軸線方向にスライドするので、ワイヤ５の引張り方向も規制されている。よって、ワイヤ５が斜め方向に引張られて、ワイヤに無理な力が作用することも回避できる。
【００２６】
さらに、プッシュロッド７Ａはコイルばね６３によって付勢されているので、プッシュロッド７Ａの押し込み量が増加するのに伴って、プッシュロッド７Ａの押し込み抵抗も増加する。よって、プッシュロッド７Ａが急に押し込まれて、ワイヤ５に過剰な負荷が作用することを防止できる。
【００２７】
（手動操作部材および制限機構の別の例）
次に、図３（ａ）〜（ｃ）は、手動操作部材７および制限機構６の別の例を示す斜視図、断面図および裏面図である。本例の手動操作部材７は引き操作片７Ｂである。制限機構６Ａは、裏面側が開口している枡形のケース８１を備えており、このケース８１の左右の縁からは直交方向に延びている一定幅の取り付けフランジ８１ａ、８１ｂが形成され、これらのフランジ８１ａ、８１ｂが複数本の固定ねじなどによって遊技島構成部品などに固定される。
【００２８】
ケース８１の内部にはスライダ８２が配置されている。スライダ８２には左右一対の上下方向に延びるスライド溝８２ａ、８２ｂが形成されており、各スライド溝８２ａ、８２ｂには段付きねじ８３ａ、８３ｂがスライド可能に差し込まれている。これら段付きねじ８３ａ、８３ｂはケース８１の正面板部分８１ｃに固定されている。
【００２９】
スライダ８２の下縁には直角に起立している端板部分８２ｃが形成されており、この端板部分８２ｃと、ケース８１の上側の端面板部分８１ｄとの間には圧縮状態でコイルばね８４が装着されている。従って、スライダ８２は常に下方に付勢されている。また、スライダ８２の端板部分８２ｃには、ワイヤ５の先端５ａが連結されており、ワイヤ５はスライダ８２のスライド方向（スライド溝８２ａ、８２ｂの方向）に延びている。
【００３０】
一方、スライダ８２の上縁にも直角に起立した端板部分８２ｄが形成されており、ここには、引き操作片７Ｂが取り付けられている。引き操作片７Ｂは、ケース８１の上側の端面板部分８１ｄに形成した矩形開口部８１ｅから外方に突出している。
【００３１】
この構成の制限機構６Ｂにおいては、引き操作片７Ｂの引き出し量がスライド溝８２ａ、８２ｂによって制限されている。引き操作片７Ｂの引き出し量はワイヤ５のストローク量よりも小さくなるように設定されている。また、ワイヤ５の引き出し方向もワイヤ５の軸線方向に制限されている。よって、ワイヤ５が過剰に引き出されること、および、斜め方向に引かれることを防止できるので、ワイヤ５に過剰な負荷が作用することがない。
【００３２】
また、引き操作片７Ｂの引き出し量が多くなると、コイルばね８４の圧縮量が増加してばね力が増し、操作抵抗が増加する。よって、ワイヤ５が急に引き出されて、ワイヤに過剰な力が作用することを防止できる。
【００３３】
（ロック機構の例）
なお、図４および図５にはロック機構４の一例を示してある。図４（ａ）はホルダ２に台間機本体３が差し込まれる前の状態のロック機構４を示す断面図であり、（ｂ）はロック機構４の分解斜視図である。図５（ａ）〜（ｅ）はロック機構４の動作を示す説明図である。
【００３４】
本例のロック機構４は、ホルダ２の背面板部分２ａに形成した上下に長い矩形開口部２ｂから前方に突出しているロック部材としてのフック１１と、台間機本体３の背面板部分３ａに形成され、フック１１を係止可能な縦長の細い係止孔１２とを有している。フック１１は、ホルダ２の背面板部分２ａの背面に上下方向にスライド可能に取り付けられたスライド板１３に一体形成されている。
【００３５】
スライド板１３は、前後方向に向いている垂直板部分１３ａと、この垂直板部分１３ａの上端部分を前方に延長させることにより形成されているフック１１と、垂直板部分１３ａの後端から横方に直角に折れ曲がって延びている一定幅のばね覆い部分１３ｂとを備えている。ばね覆い部分１３ｂの上端は前側に直角に折り曲げられて、ワイヤ連結部分１３ｃとされている。このワイヤ連結部分１３ｃにワイヤ５の端５ｂが連結されている。
【００３６】
垂直板部分１３ａの上端部分におけるフック１１の根元側のくびれ部分１１ａよりも後側の位置に、ねじ孔１３ｄが形成されている。このねじ孔１３ｄには、段付きねじ１４によってストッパ１５が上下方向に旋回可能な状態で取り付けられている。ストッパ１５は、前後に向いている垂直板部分１５ａと、垂直板部分１５の上端から横方に直角に折れ曲がっている水平板部分１５ｂとを備えている。垂直板部分１５ａは、旋回中心１５ｃよりも前側の部分が斜め下方に延びた係合爪１５ｄとされており、この係合爪１５ｄの先端面１５ｅは前後方向に延びる水平面とされている。また、側方から見た場合に、当該係合爪１５ｄはフック１１のくびれ部分１１ａを覆い隠しており、その先端面１５ｅがフック１１よりも下方に突出した位置にある。さらに、ストッパ１５の後端部分はスライド板１３のばね覆い部分１３ｂに当接しており、従って、ストッパ１５は図に示す初期状態から旋回中心１５ｃの回りを前方にのみ旋回可能となっている。
【００３７】
次に、スライド板１３の垂直板部分１３ａには上下方向に延びる長孔１３ｆが形成されており、この長孔１３ｆにスライド自在に通した上下２本の段付きねじ１６ａ、１６ｂによって、スライド板１３は、ホルダ背面板部分２ａの背面に固定したブラケット１７に対して、上下方向にスライド可能な状態で取り付けられている。従って、スライド板１３の上下のスライド限界が、それぞれ、下側の段付きねじ１６ｂおよび上側の段付きねじ１６ａによって規定されている。
【００３８】
ブラケット１７は、スライド板１３が上下方向にスライド可能に取り付けられている一定幅の垂直板部分１７ａと、この垂直板部分１７ａの上端および下端から横方に直角に折れ曲がっている上板部分１７ｂおよび下板部分１７ｃと、上板部分１７ｂおよび下板部分１７ｃの前側の縁からそれぞれ上方および下方に直角に折れ曲がって延びている上取り付け板部分１７ｄおよび下取り付け板部分１７ｅとを備えている。これら上下の取り付け板部分１７ｄおよび１７ｅが、ホルダ背面板部分２ａの前側から取り付けた上下一対の取り付けねじ１８ａ、１８ｂによって、ホルダ背面板部分２ａの背面に固定されている。また、上板部分１７ｂにはワイヤ５のアウタケース５１の端が固定されており、この上板部分１７ｂに開けた孔を介してワイヤ５の端５ｂが下方に引き出されて、スライド板１３のワイヤ連結部分１３ｃに連結固定されている。
【００３９】
ここで、ブラケット１７の下板部分１７ｃにはばね掛け溝１７ｆが形成され、スライド板１３に取り付けたストッパ１５の水平板部分１５ｂには、ストッパ旋回中心１５ｃの後方側の位置に、ばね掛け孔１５ｅが形成されている。これらの間に、引張り状態でコイルばね１８が架け渡されている。従って、コイルばね１８のばね力によって、スライド板１３は常にスライド範囲の下限位置（係止位置）に保持されている。ストッパ１５には、コイルばね１８によって、旋回中心１５ｃの回りを後側に旋回させる力が作用しているが、その後端がスライド板１３のばね覆い部分１３ｂに当たっているので、後方へ旋回することがない。また、前方への旋回もコイルばね１８のかかるばね力によって拘束されている。
【００４０】
一方、台間機本体３の背面板部分３ａに形成されている係止孔１２は、その下端縁１２ａが、スライド範囲の下限位置（係止位置）にあるフック１１の垂直な先端面１１ｂよりも下側に位置している。フック１１は垂直な先端面１１ｂの下端に滑らかに連続して下方および後方に向けて傾斜している傾斜端面１１ｃを備えている。従って、後述するフック１１が係止孔１２に差し込まれる動作が円滑に行われる。
【００４１】
次に、図５を参照して、このように構成したロック機構４の動作を説明する。図５（ａ）に示すように、ホルダ２に対して台間機本体３を位置合わせして、ホルダ２に対して台間機本体３を前側から差し込む。この結果、図５（ｂ）に示すように、台間機本体３の背面板部分３ａに形成されている係止孔１２に、ホルダ２の背面板２ａの開口部２ｂから前方に突出しているフック１１の先端が当たる。すなわち、フック１１の傾斜端面１１ｃが係止孔１２の下端縁１２ａに当たる。台間機本体３をさらに差し込むと、係止孔１２の下端縁１２ａによってフック１１が上方に押される。フック１１は上下にスライド可能なスライド板１３に形成されている。よって、台間機本体３が差し込まれると、スライド板１３がばね力に逆らって上方にスライドしながら、フック１１が係止孔１２に差し込まれる。
【００４２】
ここで、フック１１の傾斜端面１１ｃの後側の部分においては、ストッパ１５の係合爪１５ｄが傾斜端面１１ｃより下方に突出している。従って、台間機本体３が完全に差し込まれる直前において、台間機本体側の係止孔１２の下端縁１２ａがストッパ１５の係合爪１５ｄに当たり、係合爪１５ｄを後方に押し込む。図５（ｃ）はこの状態を示してある。ストッパ１５は旋回中心１５ｃの回りに前方に旋回可能であるので、係合爪１５ｄが押されると全体として前方に旋回する。
【００４３】
台間機本体３がストッパ１５の係合爪１５ｄを押しながら完全に差し込まれると、その係止孔１２の下端縁１２ａがフック１１の傾斜端面１１ｃを乗り越えてくびれ部分１１ａに到る。この結果、コイルばね１８によって下方に引張られているスライド板１３が下方にスライドする。これにより、図５（ｄ）に示すように、フック１１が係止孔１２に係止された状態、すなわち、ロック機構４のロック状態が形成される。
【００４４】
次に、台間機本体３をホルダ２から引き出す際には、ロック機構４によるロックを解除する。ロックを解除するためには、前述のように手動操作部材７（プッシュロッド７Ａ、引き操作片７Ｂ）を操作することにより、ワイヤ５を所定量だけ引く。ワイヤ５を引くと、ワイヤ５に連結されているスライド板１３がその上限位置（係止解除位置）まで引き上げられる。スライド板１３を上下位置まで引き上げると、台間機本体の背面板部分３ａの背面に押し付けられた状態にあったストッパ１５の係合爪１５ｄの先端が、係止孔１２の下端縁１２ａよりも僅かに上に位置する。この結果、コイルばね１８によって、常に、上方に旋回する方向に付勢されているストッパ１５が旋回して、その係合爪１５ｄが係止孔１２に入り込み、係合爪１５ｄの水平な先端面１５ｅが係止孔１２の下端縁１２ａに乗り上げた状態が形成される。図５（ｅ）はこの状態を示してある。ストッパ１５は後方には旋回しないように保持されているので、この状態が形成されると、スライド板１３が当該係止解除位置に保持される。換言すると、ロック機構４によるロックが解除された状態が保持される。
【００４５】
よって、スライド板１３を上限位置まで引き上げることによりロック機構４によるロックが解除され、その解除状態が保持される。この後は、台間機本体３を手前側に引き出すことができる。台間機本体３を引き出すと、ストッパ１５の係合爪１５ｄが引き出された台間機本体３の係止孔１２の下端縁１２ａから外れる。この結果、スライド板１３がばね力によって下方にスライドして、図５（ａ）に示す状態に戻る。従って、台間機本体３をホルダ２に差し込むと、再び、自動的にロック状態が形成される。
【００４６】
このように構成した本例の遊技台用台間機１のロック機構４においては、フック１１が形成されているスライド板１３を係止位置に付勢しているコイルばね１８の背面側が、スライド板１３に形成されたばね覆い部分１３ｂによって覆われている。従って、コイルばね１８がホルダ２の背面側に配置されている配線群や取り付け枠などに当たって変形や脱落が発生することを防止できる。
【００４７】
また、ロック部材としてのフック１１と、スライド板１３と、ばね覆い部分１３ｂとが単一部品により形成されている。従って、ロック機構４の部品点数を低減することができ、ロック機構４をコンパクトに構成できる。
【００４８】
さらには、コイルばね１８は、スライド板１３のスライド範囲内の位置に配置されている。すなわち、ブラケット１７の上板部分１７ｂおよび下板部分１７ｃによって規定されている範囲内をスライド板１３が上下し、スライド板１３の上端に取り付けたストッパ１５とブラケット１７の下板部分１７ｃとの間にコイルばね１８を架け渡してある。このように、スライド板１３のスライド範囲と、コイルばね１８の設置スペースとが共用化されているので、ロック機構４を小型でコンパクトに構成できる。特に、ロック機構４の上下方向の長さを短くできる。
【００４９】
【発明の効果】
以上説明したように、本発明の遊技台用台間機においては、台間機本体をホルダに固定しているロック機構を解除するためのワイヤを制限機構を介して手動操作部材によって引張るようにしている。制限機構によって、ワイヤの引張り量、引張り方向を制限しているので、ワイヤに過剰な負荷が作用すること防止できる。また、ワイヤに連結されているロック機構の構成部品に過剰な力が作用して変形してしまい、ロック動作が正常に行われなくなるという弊害も回避できる。
【００５０】
さらに、本発明では、手動操作部材の操作量に応じて、その操作抵抗を増加させるようにしているので、ワイヤが急に引かれて、ワイヤに過剰な負荷が作用する危険性を回避できる。
【図面の簡単な説明】
【図１】本発明を適用した遊技台用台間機を示す側面図である。
【図２】図１のロック機構を解除するための手動操作部材および制限機構を示す図であり、（ａ）は平面図、（ｂ）は下面図、（ｃ）は側面図であり、（ｄ）は裏面図である。
【図３】図２の手動操作部材および制限機構の別の例を示す図であり、（ａ）は斜視図、（ｂ）は断面図であり、（ｃ）は裏面図である。
【図４】図１のロック機構を示す図であり、（ａ）はその断面図、（ｂ）はその分解斜視図である。
【図５】図１のロック機構の動作を示すための動作説明図である。
【符号の説明】
１    遊技台用台間機
２    ホルダ
２ａ  ホルダ背面板部分
２ｂ  開口部
３    台間機本体
３ａ  台間機本体の背面板部分
４    ロック機構
５    ワイヤ
５ａ，５ｂ  ワイヤの端
６、６Ａ    制限機構
７    手動操作部材
７Ａ  プッシュロッド
７Ｂ  引き操作片
６１  ケース
６３  コイルばね
６４  スライダ
６１ｅ、６１ｆ  スライド溝
６６  スイングアーム
８１  ケース
８２  スライダ
８２ａ、８２ｂ  スライド溝
８４  コイルばね
【図１】
2004305578.tif 000003
【図２】
2004305578.tif 000004
【図３】
2004305578.tif 000005
【図４】
2004305578.tif 000006
【図５】
2004305578.tif 000007